(57)【特許請求の範囲】
【請求項１】
（イ）吐水口に連通し、大流量で水を流通させる主水路と、
（ロ）該主水路を開閉するとともに開弁量に応じた水量で該吐水口から吐水させる主弁体と、
（ハ）該主弁体の開閉方向に移動可能に設けられ、該主弁体の開弁動作時に該主弁体に当接することによって該主弁体の開弁量を規制し、流量調節を行う流量調節部材と、
（ニ）前記主弁体の背面側に形成され、該主弁体を閉弁方向に押圧する背圧室と前記主水路の該主弁体より下流部とを連通させる、該主弁体の動作制御用のパイロット水路及び該パイロット水路を開閉するパイロット弁体と、
（ホ）該パイロット弁体を開閉操作して前記吐水口からの吐止水を行う吐止水操作部と、
（ヘ）前記流量調節部材を前記主弁体の開閉方向に操作して流量調節を行う流調操作部と、
を有していることを特徴とする吐水装置。
【請求項２】
請求項１に記載の吐水装置において、前記パイロット水路が前記主弁体を貫通する形態で形成され、前記パイロット弁体が該主弁体を貫通する該パイロット水路の開口を開閉するものとされていることを特徴とする吐水装置。
【請求項３】
請求項１に記載の吐水装置において、前記流量調節部材が前記背圧室の構成部材を成していて前記パイロット水路が該流量調節部材を貫通する形態で形成され、前記パイロット弁体が該流量調節部材を貫通する該パイロット水路の開口を開閉するものとされていることを特徴とする吐水装置。
【請求項４】
請求項１〜３の何れかに記載の吐水装置において、前記吐止水操作部及び流調操作部が同じ箇所に同軸に、且つ該吐止水操作部が内側で、該流調操作部が外側にそれぞれ配置されていることを特徴とする吐水装置。
【請求項５】
請求項１〜４の何れかに記載の吐水装置において、前記吐止水操作部が押ボタン式の操作部であることを特徴とする吐水装置。
【請求項６】
請求項５に記載の吐水装置において、前記吐止水操作部が、操作力の入力部である押ボタン式の操作部材と、該操作部材を押し込むごとに前記パイロット弁体を閉弁位置と開弁位置とに交互に保持するロック機構を有していることを特徴とする吐水装置。
【請求項７】
請求項１〜６の何れかに記載の吐水装置において、前記流調操作部が回転ハンドル式の操作部であることを特徴とする吐水装置。
【請求項８】
請求項１〜７の何れかに記載の吐水装置において、前記主弁体，流量調節部材，パイロット弁体，吐止水操作部及び流調操作部が、内部に前記主水路を有するシャワーヘッド又は吐水管から成る吐水部に設けられていることを特徴とする吐水装置。
【請求項９】
請求項８に記載の吐水装置において、前記吐水部よりも上流部の主水路内に、前記流調操作部による吐水量の減少操作時に該吐水部内の前記主水路の圧力を給水圧に対し減圧状態に保持する減圧弁が組み込んであることを特徴とする吐水装置。
【発明の詳細な説明】
【０００１】
【発明の属する技術分野】
この発明は吐水装置に関し、詳しくは吐止水操作及び流量調節操作の操作性が良好な吐水装置に関する。
【０００２】
【従来の技術及び発明が解決しようとする課題】
従来、単水栓等の吐水装置にあっては、ハンドルの回転操作により弁体を弁座に当接させ又は離間させることによって吐水口からの吐止水を行い、また弁体の開弁量に応じて吐水口からの吐水流量を調節するようにしている。
この場合、吐止水を行うごとに吐水口からの吐水流量が所望の流量となるように流量調節を行わなければならず、使い勝手の点で十分とは言えないものであった。
【０００３】
一方湯水混合水栓等の吐水装置において、吐止水弁とその操作部である吐止水操作部及び流量調節弁とその操作部である流調操作部とを別々に設けたものもあるが、この吐水装置では吐止水操作部及び流調操作部が別々の離れた位置にあり、従って同一箇所で吐止水操作と流調操作とを行うことができず、同じく操作性の点で十分とは言えないものであった。
【０００４】
ところで、近年キッチン水栓装置として吐水管の先端部をシャワーヘッドとして構成し、これをシャワーホースとともに引き出して吐水口から吐水可能となしたものが用いられるようになって来ている。
或いはまた、洗面化粧室に備えられる洗髪シャワー水栓においても同様の形態のものが用いられている。
【０００５】
一方浴室においては、従来より水栓本体からシャワーホースを延び出させてその先端にシャワーヘッドを接続し、水栓本体から供給した水をシャワーヘッドよりシャワー吐水するようになしたものが広く用いられている。
【０００６】
ところでこれらの吐水装置の場合、シャワーヘッドを自在に目的の位置に持ち来して吐水することができ、吐水位置がほぼ固定の他の従来一般の吐水装置に比べて利便性が高いものの、反面において吐水口からの吐水・止水（吐止水）を行うための吐止水操作部及び吐水口からの吐水流量調節のための流調操作部がシャワーヘッドから遠い位置にあるため、それらの操作がし辛いといった問題があった。
【０００７】
そこで例えば浴室の吐水装置において、シャワーヘッドに手元操作部として吐止水操作部を設けるといったことが行われている。
図１０はその一例を示したものである。同図において３００はシャワーヘッド、３０２は継手管で、それらに対し所定長さの可撓性のシャワーホース３０４の各端部が接続されている。
継手管３０２は接続口３０６を有していて、その接続口３０６において水栓本体に接続され、水栓本体からの水がシャワーホース３０４内部の主水路３０８及びシャワーヘッド３００内部の主水路３０８を通じてシャワーヘッド３００の吐水口へと供給される。
【０００８】
シャワーヘッド３００には手元操作部として吐止水操作部３１０が設けられており、その吐止水操作部３１０の操作によって主水路３０８を開閉する主弁体３１２が開閉動作するようになっている。
【０００９】
詳しくは、シャワーホース３０４及びシャワーヘッド３００の内部には可撓性のチューブ３１４が挿通されていてその内部にパイロット水路３１６が形成されており、吐止水操作部３１０を図１０に示す状態から右向きに押込操作すると、軸３１８の右向きの移動及びこれに伴うボール３２０の下向きの押出しによってパイロット弁体３２２が弁座３２４から離れて開弁し、パイロット水路３１６内部の水をシャワーヘッド３００内部の主水路３０８に流出させる。
【００１０】
すると主弁体３１２の背面側に形成された背圧室３２６（この背圧室３２６はパイロット水路３１６に連通している）内部の圧力が低下し、主弁体３１２が給水圧により図中上向きに開弁動作する。
ここにおいてシャワーホース３０４内の主水路３０８に水栓本体側からの水が供給される。供給された水はシャワーヘッド３００内部の主水路３０８を流通した後、先端の吐水口から吐水される。
【００１１】
一方吐止水操作部３１０を左向きに押込操作して図１０に示す状態に戻すと、ここにおいてパイロット弁体３２２が閉弁し、これによって背圧室３２６内部の圧力が漸次高まって最終的に主弁体３１２が閉弁し、吐水口への水の供給が停止する。
【００１２】
この図１０に示す吐水装置にあっては、シャワーヘッド３００を手に持った状態で吐止水操作部３１０を手元操作することにより吐水口からの吐止水を行うことができ、しかもその吐止水操作部３１０はパイロット水路３１６を開閉するものであるため、小さい力で楽に操作でき、この点で利便性の高いものであるが、この吐水装置にあっては、吐水口からの流量を調節する場合にはシャワーヘッド３００から遠く離れた水栓本体の流調操作部を操作しなければならず、利便性の点で未だ十分とは言えないものである。
【００１３】
図１１は別の従来例を示したもので、この例のものはシャワーヘッド３００に設けた吐止水操作部３２８の操作摘み３３０を回転操作することで弁体３３２を軸方向に移動させ、そしてこれを弁座３３４に当接させ或いは離間させることによって主水路３０８を開閉し、吐水口３３６からの吐水及び止水を行うようになしたものである。
尚この例の吐水装置の場合、弁体３３２を閉弁させるとシャワーホース３０４の上流部に配設してある主弁体３１２も閉弁する。
【００１４】
この例の吐水装置にあっても、シャワーヘッド３００を手に持ちながら手元操作により吐止水を行うことができる。
またこの吐水装置の場合、吐止水操作部３２８における操作摘み３３０の回転量を調節することで、吐水口３３６からの吐水流量の調節も併せて行うことが可能である。
【００１５】
しかしながらこの吐水装置においても、吐止水を行う度にその都度流量調節も行わなければならず、操作が面倒であって、使い勝手の点で問題のあるものである。
即ち折角適正流量となるように弁体３３２の位置を調節したとしても、その後止水を行うと必然的に弁体３３２の位置が移動してしまうため、次に吐水を行うとき再び適正流量となるように操作しなければならないといった面倒がある。
【００１６】
以上シャワーヘッドを有する吐水装置の場合を例に挙げたが、このようなシャワーヘッドを有しない通常の長い吐水管の先端の吐水口から吐水を行う一般のキッチン水栓装置（吐水装置）においても大なり小なり同様の問題が内在する。
【００１７】
【課題を解決するための手段】
本発明の吐水装置はこのような課題を解決するために案出されたものである。
而して請求項１のものは、（イ）吐水口に連通し、大流量で水を流通させる主水路と、（ロ）該主水路を開閉するとともに開弁量に応じた水量で該吐水口から吐水させる主弁体と、（ハ）該主弁体の開閉方向に移動可能に設けられ、該主弁体の開弁動作時に該主弁体に当接することによって該主弁体の開弁量を規制し、流量調節を行う流量調節部材と、（ニ）前記主弁体の背面側に形成され、該主弁体を閉弁方向に押圧する背圧室と前記主水路の該主弁体より下流部とを連通させる、該主弁体の動作制御用のパイロット水路及び該パイロット水路を開閉するパイロット弁体と、（ホ）該パイロット弁体を開閉操作して前記吐水口からの吐止水を行う吐止水操作部と、（ヘ）前記流量調節部材を前記主弁体の開閉方向に操作して流量調節を行う流調操作部とを有していることを特徴とする。
【００１８】
請求項２のものは、請求項１に記載の吐水装置において、前記パイロット水路が前記主弁体を貫通する形態で形成され、前記パイロット弁体が該主弁体を貫通する該パイロット水路の開口を開閉するものとされていることを特徴とする。
【００１９】
請求項３のものは、請求項１に記載の吐水装置において、前記流量調節部材が前記背圧室の構成部材を成していて前記パイロット水路が該流量調節部材を貫通する形態で形成され、前記パイロット弁体が該流量調節部材を貫通する該パイロット水路の開口を開閉するものとされていることを特徴とする。
【００２０】
請求項４のものは、請求項１〜３の何れかに記載の吐水装置において、前記吐止水操作部及び流調操作部が同じ箇所に同軸に、且つ該吐止水操作部が内側で、該流調操作部が外側にそれぞれ配置されていることを特徴とする。
【００２１】
請求項５のものは、請求項１〜４の何れかに記載の吐水装置において、前記吐止水操作部が押ボタン式の操作部であることを特徴とする。
【００２２】
請求項６のものは、請求項５に記載の吐水装置において、前記吐止水操作部が、操作力の入力部である押ボタン式の操作部材と、該操作部材を押し込むごとに前記パイロット弁体を閉弁位置と開弁位置とに交互に保持するロック機構を有していることを特徴とする。
【００２３】
請求項７のものは、請求項１〜６の何れかに記載の吐水装置において、前記流調操作部が回転ハンドル式の操作部であることを特徴とする。
【００２４】
請求項８のものは、請求項１〜７の何れかに記載の吐水装置において、前記主弁体，流量調節部材，パイロット弁体，吐止水操作部及び流調操作部が、内部に前記主水路を有するシャワーヘッド又は吐水管から成る吐水部に設けられていることを特徴とする。
【００２５】
請求項９のものは、請求項８に記載の吐水装置において、前記吐水部よりも上流部の主水路内に、前記流調操作部による吐水量の減少操作時に該吐水部内の前記主水路の圧力を給水圧に対し減圧状態に保持する減圧弁が組み込んであることを特徴とする。
【００２６】
【作用及び発明の効果】
上記のように請求項１の吐水装置は、主水路を開閉する主弁体をパイロット弁体によるパイロット水路の開閉により開弁及び閉弁させ、また主弁体の開閉方向に移動可能に設けた流量調節部材による主弁体への当接作用により主弁体の開弁量を規制し、流量調節するようになしたもので、この吐水装置においては、小さな操作力で容易に吐止水操作を行うことができ、吐止水の操作性が良好である外、主弁体の開弁量を流量調節部材の当接作用で規定するようにしていることから、その流量調節部材を適正な位置に位置させた状態で吐止水を行うことで、吐水当初から目的とする適正流量で吐水口から吐水を行わせることが可能となる。
【００２７】
またパイロット弁体の開閉により吐止水を行うようにしているため、吐止水操作部を押ボタン式のワンタッチで操作可能な簡便な操作部として構成することができる。
また主水路に吐止水用の弁体と流量調節用の弁体とをそれぞれ別々に設けたものに比べて、本発明の吐水装置は同じ主弁体によって主水路の開閉と流量調節を行うようにしているため、弁体，吐止水操作部，流調操作部を含む装置をコンパクトに構成することができる。
更にまた同じ主弁体によって吐止水と流量調節とを行うようにしているため、その操作部である吐止水操作部と流調操作部とを同じ箇所に容易に配設することができる。
【００２８】
ここで上記パイロット水路は主弁体を貫通する形態で形成しておき、そのパイロット水路の開口をパイロット弁体にて開閉するようになすことができる（請求項２）。
或いはまた、流量調節部材を貫通する形態でパイロット水路を形成し、その流量調節部材を貫通するパイロット水路の開口をパイロット弁体にて開閉するようになすことができる（請求項３）。
【００２９】
本発明ではまた、上記主弁体をダイヤフラム弁体にて構成することができる。
或いはまたその主弁体を円筒形の滑り面に沿って摺動する摺動弁体にて構成することができる。
【００３０】
上記のように本発明においては、吐止水操作部及び流調操作部を容易に同じ箇所に配設することができ、而してこれらを同じ箇所に同軸に且つ吐止水操作部を内側に、流調操作部を外側にそれぞれ配置しておくことで、吐止水操作と流調操作とを同じ箇所で行うことができ、それらの操作性が良好となる（請求項４）。
【００３１】
また本発明では、上記のように吐止水操作部を容易に押ボタン式の操作部となすことができ（請求項５）、このようにすれば吐止水操作を押ボタンの押込みによってワンタッチで簡単に行うことができる。
【００３２】
この場合において吐止水操作部は、操作力の入力部である押ボタン式の操作部材と、操作部材を押し込むごとにパイロット弁体を閉弁位置と開弁位置とに交互に保持するロック機構を有するように構成しておくことができる（請求項６）。
このようにすれば、押込力を加えた後その押込力を解除した場合においても吐水状態又は止水状態を維持することができ、操作がより簡単となる。
【００３３】
本発明においては、上記流量調節部材をねじ部材として構成しておき、流調操作部の操作によりこれをねじ送り作用で主弁体の開閉方向に進退するようになすことができる。
またその流調操作部は回転ハンドル式の操作部となしておくことができる（請求項７）。
【００３４】
本発明においては、上記主弁体，流量調節部材，パイロット弁体，吐止水操作部及び流調操作部を、シャワーヘッド又は吐水管から成る吐水部に設けておくことができる（請求項８）。
このようにすれば、シャワーヘッドをシャワーホースとともに自在に持ち運びできる吐水装置において或いは長い吐水管を有する吐水装置において、吐止水操作と流調操作とを手元操作で行うことができ、吐水装置の利便性を飛躍的に高めることができる。
【００３５】
本発明では、上記吐水部よりも上流部の主水路内に、吐水部内の主水路の圧力を給水圧に対し減圧状態に保持する減圧弁を組み込んでおくことができる（請求項９）。
このようにした場合、手元操作によって吐水部、例えばシャワーヘッドの流調操作部を吐水量が減少する方向に操作したとき、シャワーホース内に一次給水圧が篭ってしまってシャワーホースが硬くなったりするのを防止することができるとともに、減圧弁の減圧作用により流量調節を小さい力で軽やかに行うことができるようになる。
また減圧弁の作用で、その減圧弁の配設部位よりも下流側が減圧状態に保持されるため、シャワーホースを含む下流側の部分を耐圧構造にしなくても良く、コストを低減できる利点も得られる。
更に減圧弁を閉じた後オン・オフ操作力を軽くすることができる。
【００３６】
【実施例】
次に本発明の実施例を図面に基づいて詳しく説明する。
図１は本発明を単水栓に適用した場合の実施例で、図中１０は水栓本体であり、管体１２を有している。
管体１２の内部には主水路１４が形成されており、また管体１２の先端部には、この主水路１４に連通する状態で吐水口１６が設けられている。
【００３７】
主水路１４上には弁座１８が形成されており、そしてこの弁座１８に当接し又は離間することによって主水路１４を開閉するダイヤフラム弁体から成る主弁体２０が設けられている。
この主弁体２０の背面側（図中上面側）には背圧室２２が形成されており、主弁体２０は、通常時はこの背圧室２２の下向きの押圧力により弁座１８に当接した状態、即ち閉弁状態に保持される。
【００３８】
この主弁体２０には、弁座１８よりも上流部において主水路１４と背圧室２２とを連通させる連通孔２４及び弁座１８の下流部において主水路１４と背圧室２２とを連通させる連通孔２６が形成されており、それら連通孔２４，２６を含んで主弁体２０の動作制御用のパイロット水路３０が形成されている。
【００３９】
本例ではこのパイロット水路３０、具体的には連通孔２６の開口がパイロット弁体３２、具体的にはその軸部３４により開閉されることで主弁体２０が開弁又は閉弁動作させられる。
詳しくはパイロット弁体３２が主弁体２０の弁座２８から図中上向きに離間することによってパイロット水路３０が開放され、ここにおいて背圧室２２内の水が連通孔２６を通じて主水路１４へと流れ出て背圧室２２の圧力が減少する。すると主弁体２０が主水路１４に供給された給水圧により開弁運動させられて、吐水口１６から主水路１４を通じて送られて来た水が吐水される。
【００４０】
また一方、パイロット弁体３２が弁座２８に当接してパイロット水路３０を閉鎖すると、連通孔２４を通じて背圧室２２内部に主水路１４の上流側の水が流入し、これにより背圧室２２内部の圧力が増大して主弁体２０が閉弁動作させられる。
【００４１】
上記管体１２には円筒形状の立上り部３６が形成されており、そこに円筒形状のスリーブ３８がねじ締結され、それらによってハウジング３９が形成されている。
このハウジング３９、具体的にはスリーブ３８の内面には円筒形の滑り面４２が形成されており、そこに円筒形の流量調節部材４０が軸方向に摺動可能に嵌合されている。
【００４２】
この流量調節部材４０は、主弁体２０の開弁時に主弁体２０に当接してその開弁量を規定する部材で、主水路１４からの水はその主弁体２０の開弁量に応じた水量で吐水口１６から吐水される。
この流量調節部材４０は、後述の回転ハンドル式の流調操作部４６の回転操作によって軸方向の位置を変化させ、主弁体２０に対する当接位置、即ちその開弁量を制御する。従って本例においてはこの流量調節部材４０の軸方向位置の変化に応じて、吐水口１６からの吐水流量が制御される。
【００４３】
この流量調節部材４０の更に内側には、背圧室２２形成用のプラグ４５が配設されており、このプラグ４５と主弁体２０との間に上記背圧室２２が形成されている。
【００４４】
流調操作部４６には、操作力を上記流量調節部材４０に伝達するためのスリーブ４８が一体回転状態に組み付けられている。
このスリーブ４８の下端部外周面には雄ねじ５０が設けられていて、その雄ねじ５０が流量調節部材４０の雌ねじ４４に螺合されており、流調操作部４６が回転操作されると、スリーブ４８の回転に伴ってねじ送り作用で流量調節部材４０が軸方向、即ち図１中上下方向に進退駆動される。
尚、スリーブ４８には外向きの突起５２が設けられており、この突起５２がハウジング３９を構成するスリーブ３８の内向きの突起５４に当接することによって抜止めされる。
【００４５】
５６は流調操作部４６と同軸且つその内側に設けられた吐止水操作部で、この例の吐止水操作部５６は、逆カップ状をなす押ボタン式の操作部材５８と、パイロット水路３０を開閉するための上記パイロット弁体３２を、操作部材５８を押し込むごとに閉弁位置と開弁位置とに保持するロック機構６２とを有している。
【００４６】
本例において、ロック機構６２はスラストロック式のもので外筒８８と、その内周面に突出する状態で形成された円筒形状のガイド部９０（図４参照）とを有している。
ガイド部９０は、上端面に沿って周方向に鋸刃状の係合歯９２を有しており、更に周方向に沿って所定間隔ごとに複数の溝９４を有している。
【００４７】
一方、パイロット弁体３２には大径の固定リング９６と回転リング９８とが設けられている。
回転リング９８は軸部１００の周りに回転可能とされており、更に軸部１００に設けられたストッパ部１０２と固定リング９６との間で微小ストローク上下に相対移動可能とされている。
【００４８】
固定リング９６の外周面には周方向に一定間隔で突起１０４が設けられており、その上端に係合歯１０６が形成されている。
他方、回転リング９８にも周方向に沿って一定間隔ごとに突起１０８が設けられており、そしてそれら突起１０８を含む回転リング９８下端部に、周方向に沿って鋸刃状の係合歯１１０が形成されている。
【００４９】
尚、図１に示しているようにパイロット弁体３２は回転リング９８の上面においてスプリング１１２により常時下向きに付勢されており、またロック機構６２の外筒８８はスプリング１１４により常時上向きに付勢されている。
【００５０】
この例のスラストロック式のロック機構６２は次のように作用する。
図４(Ｂ)(Ｉ)はパイロット弁体３２が弁座２８に当接した状態、即ちパイロット水路３０を閉鎖した状態を示している。
【００５１】
この状態において操作部材５８及びロック機構６２の外筒８８をスプリング１１２及び１１４の付勢力に抗して下向きに押し込むと、図４(Ｂ)(II)に示しているようにパイロット弁体３２の回転リング９８がガイド部９０の溝９４から外れた状態となり、ここにおいて回転リング９８が、固定リング９６側の突起１０４の係合歯１０６と回転リング９８側の係合歯１１０のカム面の作用で微小角度反時計方向に回転させられる。
【００５２】
その後押込力を除くと、スプリング１１４の付勢力でガイド部９０が外筒８８とともに上昇運動し、このときガイド部９０の上端の係合歯９２と回転リング９８の係合歯１１０とが一部噛み合った状態となる。
【００５３】
更にガイド部９０が上向きに押し上げられると、回転リング９８が固定リング９６から浮き上がるとともにそれら係合歯９２，１１０のカム面の作用で回転リング９８が更に微小角度反時計方向に回転させられてガイド部９０の係合歯９２と回転リング９８の係合歯１１０とが完全に噛み合った状態となり（図４(Ｂ)(III)参照）、これとともに回転リング９８とストッパ部１０２との当接作用で回転リング９８，固定リング９６を含むパイロット弁体３２全体が上昇端まで上昇させられてその上昇端に保持される。即ちパイロット弁体３２が開弁位置に保持される。
ここにおいてパイロット水路３０が開放状態とされて主弁体２０が開かれ、主水路１４内を水が流通する。
【００５４】
さて再び操作部材５８を押込操作すると、これとともにロック機構６２の外筒８８及びガイド部９０が下向きに移動し、ここにおいて回転リング９８の係合歯１１０とガイド部９０の係合歯９２との噛合いが外れるとともに、スプリング１１２の付勢力でパイロット弁体３２における固定リング９６の係合歯１０６と回転リング９８の係合歯１１０とが接触し（図４(Ｂ)(IV)，(Ｖ)参照）、更にガイド部９０が下降して回転リング９８が自由回転状態になると、固定リング９６及び回転リング９８の各係合歯１０６，１１０のカム面の作用により回転リング９８が微小角度反時計方向に回転させられ、そしてそれら係合歯１０６及び１１０が完全に噛み合ったところで回転リング９８の回転が停止する（図４(Ｂ)(VI)参照）。
【００５５】
その後操作力を除くことによって、（VII）に示しているようにガイド部９０がスプリング１１４の付勢力で上向きに移動すると、回転リング９８が浮き上がった後、ガイド部９０の係合歯９２と回転リング９８の係合歯１１０とのカム面の作用で回転リング９８が微小角度回転した上で、回転リング９８の突起１０８が固定リング９６の突起１０４とともにガイド部９０の溝９４に嵌り合い、続いてスプリング１１２及び１１４の付勢力でそれら突起１０４，１０８が外筒８８の上昇運動を伴って溝９４の底部まで落ち込む（図４(Ｂ)(VIII)参照）。ここにおいてパイロット弁体３２が再びパイロット水路３０を閉鎖した状態となる。
尚このロック機構自体は従来公知であるのでここでは更に詳しい説明は省略する。
【００５６】
次に本例の吐水装置の作用を説明する。
図１及び図２（Ｉ）はパイロット弁体３２が閉弁した状態、従って主弁体２０が閉弁した状態を表しており、この状態で吐止水操作部５６を下向きに押込操作すると、ここにおいて図２(II)に示しているようにパイロット弁体３２が開弁動作し、これにより背圧室２２の圧力が抜かれて主弁体２０が給水圧により開弁動作する。
【００５７】
ここにおいて主水路１４が開かれた状態となり、吐水口１６から吐水が行われる。
但しこのときの吐水口１６からの吐水流量は、主弁体２０の開弁量に応じた水量で行われる。而してその主弁体２０の開弁量は流量調節部材４０の位置によって規定される。
【００５８】
図３はその流量調節部材４０による流調調節の作用を表したもので、図示のように流調操作部４６を回転操作することによって流量調節部材４０が例えば図１及び図２に示す状態よりも軸方向下向きに移動させられると、これに応じて主弁体２０の開弁量が少なくなり、これによって吐水口１６からの吐水流量が減少する(図３(I))。
【００５９】
逆に図３(II)に示しているように流量調節部材４０を軸方向上向きに移動させると、主弁体２０に対する当接位置が図中上方に後退し、主弁体２０が大きく開弁させられる。これによって吐水口１６からの吐水流量が増大せしめられる。
尚、本例は吐水管に主弁体２０と流量調節部材４０とパイロット水路３０及びパイロット弁体３２と吐止水操作部５６と流調操作部４６とを設けたものと考えることもできる。
【００６０】
本例の吐水装置によれば、小さな操作力で容易に吐止水操作を行うことができ、吐止水の操作性が良好である外、主弁体２０の開弁量を流量調節部材４０の当接作用で規定するようにしていることから、その流量調節部材４０を適正な位置に位置させた状態で吐止水を行うことで、吐水当初から目的とする適正流量で吐水口１６から吐水を行わせることができる。
【００６１】
また本例の吐水装置は、吐止水操作部５６を押ボタン式のワンタッチで操作可能な簡便な操作部として構成しているとともに、同じ主弁体２０によって主水路１４の開閉と流量調節を行うようにしているため、主弁体２０，吐止水操作部５６，流調操作部４６を含む装置をコンパクトに構成することができ、またその操作部である吐止水操作部５６と流調操作部４６とを同じ箇所に容易に配設できる。
【００６２】
また吐止水操作部５６を押ボタン式の操作部としており、吐止水操作を押ボタンの押込みによってワンタッチで簡単に行うことができる。
【００６３】
またその吐止水操作部５６は、操作力の入力部である操作部材５８と、操作部材５８を押し込むごとにパイロット弁体３２を閉弁位置と開弁位置とに交互に保持するロック機構６２を有する構成となっているため、押込力を加えた後その押込力を解除した場合においても吐水状態又は止水状態を維持することができ、操作がより簡単である。
【００６４】
図５は本発明の他の実施例を示したもので、この例では流量調節部材４０が背圧室２２の構成部材を成しているとともに流量調節部材４０にパイロット水路３０及び弁座２８が形成され、その弁座２８に対してパイロット弁体３２が当接し又はこれから離間することによって、ダイヤフラム弁体から成る主弁体２０が開閉動作するようになっている。
尚他の点については上記第一実施例と同様である。
【００６５】
この例の場合、第一の実施例(図１〜図３の実施例)に比べて弁座２８がパイロット弁体３２に近い位置にあるため、パイロット弁体３２を弁座２８に対し簡単に且つ確実に当接させ且つその当接状態を容易に保持できる利点がある。
【００６６】
図６は本発明の更に他の実施例を示したもので、この例では、主弁体２０が管体１２及びスリーブ３８に形成された円筒形の滑り面６４に沿って軸方向に摺動する摺動弁体として構成されている。
尚他の点については図５に示す第二の実施例と同様である。
【００６７】
図７は本発明をシャワーヘッドに適用した場合の実施例を表している。
図示のようにこの例では、吐水部としてのシャワーヘッド６６の先端部に図１に示す機構と同様の機構が組み込まれている。
従ってこの吐水装置の場合、シャワーヘッド６６を手に持ったまま吐止水操作部５６を操作することで吐水口６８からの吐水と止水とを行うことができ、また回転ハンドル式の流調操作部７０を回転操作することで主弁体２０の開弁量を制御し、吐水口６８からの吐水流量を調節することができる。
【００６８】
尚、図７の例では主弁体２０がダイヤフラム弁体にて構成してあるが、この主弁体２０を図６の摺動弁体にて構成することもできる。
或いはまた、主弁体２０をダイヤフラム弁体又は摺動弁体にて構成するとともに、図５に示しているように流量調節部材４０にパイロット水路３０及び弁座２８を設けて、そのパイロット水路３０の開口をパイロット弁体３２にて開閉するようになすことも可能である。
【００６９】
本例においては、図に示しているようにシャワーヘッド６６に接続されたシャワーホースよりも上流部において主水路１４内にピストン式の減圧弁７２が組み込まれている。
減圧弁７２は大径のピストン部７４を有しており、そのピストン部７４が円筒形の摺動面７６に摺動可能に嵌合されている。
【００７０】
この減圧弁７２は、図８に拡大して示しているようにその下流部分、詳しくは主水路１４における減圧弁７２の配設部位よりも下流部分(図中左側)の圧力が上昇して一定圧に達したとき、上流部と下流部とに対する受圧面積の差によって図中右向きに押動され、図８(II)に示しているようにその当接部７８を弁座８０に接近又は当接させることによって、主水路１４を絞り又は主弁体２０の上流側で閉鎖する。
【００７１】
即ち減圧弁７２は、主水路１４を絞り又は閉鎖することにより、これより下流側の主水路１４内の圧力をその上流側（一次側）の給水圧よりも低い圧力状態（減圧状態）に保つ働きをする。
尚この減圧弁７２はスプリング８２により常時開弁方向に付勢されている。
【００７２】
このような減圧弁を設けない場合、吐水口６８からの吐水流量を絞ったときにシャワーヘッド６６先端部まで、詳しくは主水路１４の先端部まで一次給水圧が導かれてシャワーホース内に圧力が篭った状態となってしまい、またこれに伴ってシャワーホースが硬くなってしまい、自由に曲り難くなる。
【００７３】
しかるに本例の吐水装置においては主弁体２０の上流側に減圧弁７２が設けられており、その減圧弁７２の配設部位よりも下流部分の主水路１４内部の圧力が高まって来ると、即ちシャワーホース内部の圧力が上昇してくると、その減圧弁７２が閉弁方向に動作して主水路１４を絞り又は減圧弁７２の上流部と下流部とで遮断する。
【００７４】
これにより減圧弁７２よりも下流側の主水路１４内部の圧力が給水圧に対し一定圧低い減圧状態に保たれ、従って主弁体２０を開いた状態の下で流量を絞った場合においても、シャワーホース内部に過大な圧力が篭ってシャワーホースが硬くなってしまうのが有効に防止される。
【００７５】
本例の場合、シャワーホースとともに自在に持ち運びできるシャワーヘッド６６において、吐止水操作と流調操作とを手元操作で行うことができ、吐水装置の利便性を飛躍的に高めることができる。
【００７６】
また手元操作によって流調操作部４６を吐水量が減少する方向に操作する際、減圧弁７２の減圧作用により流量調節を軽やかに行うことができる。
また減圧弁７２の作用でその減圧弁７２の配設部位よりも下流側が減圧状態に保持されるため、シャワーホースを含む下流側の部分を耐圧構造にしなくても良く、コストを低減できる利点も得られる。
【００７７】
尚この減圧弁７２は、図９に示しているように図１ないし図６の実施例において主弁体２０の上流部に設けておくこともできる。
このようにした場合においても、流調操作部４６によって吐水口１６からの吐水流量を調節する際、操作負荷を軽減できる利点が得られる。
【００７８】
以上本発明の実施例を詳述したがこれはあくまで一例示である。
例えば本発明においては水栓本体から長い吐水管が延び出している通常の水栓装置（吐水装置）において、その吐水管の先端部に上記のような主弁体と流量調節部材とパイロット水路及びパイロット弁体と吐止水操作部と流調操作部とを設けるといったことも可能である。
更にまた本発明は洗髪シャワー水栓装置のシャワーヘッド或いは浴室のシャワーヘッドに適用することも可能であるなど、その主旨を逸脱しない範囲において種々変更を加えた形態で構成可能である。
【図面の簡単な説明】
【図１】本発明の一実施例である吐水装置の構成を示す図である。
【図２】同じ実施例の吐水装置の一作用状態を示す図である。
【図３】同じ実施例の吐水装置の図２とは異なる一作用状態を示す図である。
【図４】図１のロック機構の作用説明図である。
【図５】本発明の他の実施例の吐水装置を示す図である。
【図６】本発明の更に他の実施例の吐水装置を示す図である。
【図７】本発明の更に他の実施例の吐水装置を示す図である。
【図８】図７の吐水装置の減圧弁とその周辺部をその作用とともに示す図である。
【図９】本発明の更に他の実施例の吐水装置を示す図である。
【図１０】従来の吐水装置の一例の要部を示す図である。
【図１１】従来の吐水装置の図１０とは異なる例の要部を示す図である。
【符号の説明】
１２  管体
１４  主水路
１６，６８  吐水口
２０  主弁体
２２  背圧室
３０  パイロット水路
３２  パイロット弁体
３９  ハウジング
４０  流量調節部材
４６，７０  流調操作部
５６  吐止水操作部
５８  操作部材
６２  ロック機構
６６  シャワーヘッド
７２  減圧弁
【図１】
0004142219.tif 000002
【図２】
0004142219.tif 000003
【図３】
0004142219.tif 000004
【図４】
0004142219.tif 000005
【図５】
0004142219.tif 000006
【図６】
0004142219.tif 000007
【図７】
0004142219.tif 000008
【図８】
0004142219.tif 000009
【図９】
0004142219.tif 000010
【図１０】
0004142219.tif 000011
【図１１】
0004142219.tif 000012